【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
前処理液の入った前処理槽と、
電着液の入った電着槽と、
前記前処理液を加熱する加熱媒体を加熱すると共に、前記電着液を冷却する冷却媒体を冷却するヒートポンプと、
前記冷却媒体を加熱する冷却媒体加熱機と
を備えたことを特徴とする電着塗装装置。
【請求項２】
前記冷却媒体加熱機は、前記冷却媒体と冷却側加熱媒体とを導入し熱交換することで前記冷却媒体を当該冷却側加熱媒体により加熱する熱交換機である
ことを特徴とする請求項１に記載の電着塗装装置。
【請求項３】
前記冷却側加熱媒体は、工場から生ずる排温水、補給水、排気又は排ガスの内の少なくともいずれかを含むものである
ことを特徴とする請求項２に記載の電着塗装装置。
【請求項４】
前記冷却側加熱媒体は、冷却側加熱媒体供給用ヒートポンプから供給される
ことを特徴とする請求項２又は請求項３に記載の電着塗装装置。
【請求項５】
前記冷却媒体加熱機は、加熱用ヒートポンプである
ことを特徴とする請求項１に記載の電着塗装装置。
【請求項６】
前記冷却側加熱媒体及び／又は前記冷却媒体の前記冷却媒体加熱機への流量を調節する流量調節手段と、
前記冷却媒体の温度である冷水温度を検知する冷水温度センサと、
前記冷水温度センサと接続され、当該冷水温度センサから得た前記冷水温度に応じて前記流量調節手段における流量を制御する自動制御装置と
を更に備えたことを特徴とする請求項１ないし請求項５のいずれかに記載の電着塗装装置。
【請求項７】
前記ヒートポンプが複数台設置されており、
前記自動制御装置は、
少なくとも一部の所定の前記ヒートポンプにおける、前記加熱媒体が前記ヒートポンプから供給される際の温度である温水供給温度を検知する温水供給温度センサ、前記加熱媒体が前記ヒートポンプへ戻る際の温度である温水戻り温度を検知する温水戻り温度センサ、及び前記冷却媒体が前記ヒートポンプから供給される際の温度である冷水供給温度を検知する冷水供給温度センサ、並びに前記加熱媒体の流量を検知する流量計と接続されており、
前記温水供給温度センサから得た前記温水供給温度と前記温水戻り温度センサから得た前記温水戻り温度の差、及び前記流量計から得た前記流量から把握した現在の加熱能力と、前記冷水供給温度センサから得た前記冷水供給温度から把握した定格運転時の加熱能力とから、当該ヒートポンプにおける負荷率を把握して、
当該負荷率が設定値以下である場合に、前記ヒートポンプの一部につき運転を停止する制御を行い、
当該ヒートポンプの運転停止後、前記温水供給温度センサから得た前記温水供給温度が設定値以下である場合に、停止した前記ヒートポンプにつき運転を再開する制御を行う
ことを特徴とする請求項６に記載の電着塗装装置。
【請求項８】
前記前処理液を加熱する第２加熱媒体を供給可能な加熱機を更に備え、
前記ヒートポンプは、前記加熱媒体を冷却可能な冷却機と接続されており、
前記自動制御装置は、前記冷水温度センサから得た前記冷水温度が所定値以上である場合に、前記加熱媒体を前記冷却機に供給して冷却された前記加熱媒体を受けると共に、前記加熱機により前記第２加熱媒体を供給して前記加熱媒体に代わり前記前処理液の加熱を行う
ことを特徴とする請求項６又は請求項７に記載の電着塗装装置。
【請求項９】
前記前処理液を加熱する第２加熱媒体を供給可能な加熱機と、消費電力を検知する消費電力計とを更に備え、
前記ヒートポンプは、前記加熱媒体を冷却可能な冷却機と接続されており、
前記自動制御装置は、前記消費電力計と接続されており、前記消費電力計から得た消費電力が設定値以上である場合に、前記加熱媒体を前記冷却機に供給して冷却された前記加熱媒体を受けると共に、前記加熱機により前記第２加熱媒体を供給して前記加熱媒体に代わり前記前処理液の加熱を行う
ことを特徴とする請求項６ないし請求項８のいずれかに記載の電着塗装装置。
【請求項１０】
前記ヒートポンプからの前記加熱媒体を貯蔵する温水タンクと、当該温水タンク内の前記加熱媒体を加熱する加熱手段とを備え、前記温水タンクからの前記加熱媒体により前記前処理液を加熱する第２加熱媒体が加熱される
ことを特徴とする請求項６ないし請求項９のいずれかに記載の電着塗装装置。
【請求項１１】
前記ヒートポンプを複数備えていると共に、前記電着液を冷却する第４冷却媒体を供給可能な第２冷却機を備えており、更に一部の前記ヒートポンプの供給する前記冷却媒体につき、前記冷却側加熱媒体との熱交換機側と前記電着液の冷却側とで切り替え可能とし、前記前処理液の加熱負荷が比較的に軽い一方前記電着液の冷却負荷が比較的に重い場合に、前記一部のヒートポンプの前記冷却媒体で前記電着液を冷却する一方、残余の前記ヒートポンプの冷却媒体に前記冷却側加熱媒体を適用して、全ての前記ヒートポンプで前記前処理液を加熱し、前処理液の加熱前記負荷が比較的に重い一方前記電着液の冷却負荷が比較的に軽い場合に、前記一部のヒートポンプの前記冷却媒体にも前記冷却側加熱媒体を適用して、全ての前記ヒートポンプで前記前処理液を加熱し、前記第２冷却機の前記第４冷却媒体で電着液を冷却する
ことを特徴とする請求項１ないし請求項５のいずれかに記載の電着塗装装置。
【手続補正２】
【補正対象書類名】明細書
【補正対象項目名】０００６
【補正方法】変更
【補正の内容】
【０００６】
そこで、請求項１に記載の発明は、極めてエネルギー効率の良い電着塗装装置を提供することを目的としたものである。
【手続補正３】
【補正対象書類名】明細書
【補正対象項目名】０００８
【補正方法】変更
【補正の内容】
【０００８】
請求項６に記載の発明は、上記目的に加えて、室温や液温に変動があったとしても自動的に効率の良好な運転がなされる電着塗装装置を提供する目的を達成するため、上記発明にあって、前記冷却側加熱媒体及び／又は前記冷却媒体の前記冷却媒体加熱機への流量を調節する流量調節手段と、前記冷却媒体の温度である冷水温度を検知する冷水温度センサと、前記冷水温度センサと接続され、当該冷水温度センサから得た前記冷水温度に応じて前記流量調節手段における流量を制御する自動制御装置とを更に備えたことを特徴とするものである。
【手続補正４】
【補正対象書類名】明細書
【補正対象項目名】００１０
【補正方法】変更
【補正の内容】
【００１０】
請求項８に記載の発明は、上記目的に加えて、ヒートポンプを状況に応じて効率の良好な運転モードに切り替え可能として、全体としての効率をも一層向上する目的を達成するため、上記発明にあって、前記前処理液を加熱する第２加熱媒体を供給可能な加熱機を更に備え、前記ヒートポンプは、前記加熱媒体を冷却可能な冷却機と接続されており、前記自動制御装置は、前記冷水温度センサから得た前記冷水温度が所定値以上である場合に、前記加熱媒体を前記冷却機に供給して冷却された前記加熱媒体を受けると共に、前記加熱機により前記第２加熱媒体を供給して前記加熱媒体に代わり前記前処理液の加熱を行うことを特徴とするものである。
【手続補正５】
【補正対象書類名】明細書
【補正対象項目名】００１４
【補正方法】変更
【補正の内容】
【００１４】
又、上記目的を達成するために、前処理液の入った前処理槽と、電着液の入った電着槽と、前記電着液を冷却する第１冷却媒体と、前記前処理液を加熱する加熱媒体を加熱すると共に、前記第１冷却媒体を冷却する第２冷却媒体を冷却するヒートポンプと、前記第１冷却媒体を第３冷却媒体により冷却するチラーと、前記第２冷却媒体と冷却側加熱媒体とを導入し熱交換することで前記第２冷却媒体を当該冷却側加熱媒体により加熱する冷却媒体加熱機とを備えることが望ましく、又上記発明にあって、前記冷却媒体加熱機は、前記第２冷却媒体と冷却側加熱媒体とを導入し熱交換することで前記第２冷却媒体を当該冷却側加熱媒体により加熱する熱交換機であることが望ましく、更に上記発明にあって、前記冷却側加熱媒体は、工場から生ずる排温水、補給水、排気又は排ガスの内の少なくともいずれかを含むものであることが望ましく、又上記発明にあって、前記冷却側加熱媒体は、冷却側加熱媒体用ヒートポンプから供給されることが望ましく、更に上記発明にあって、前記冷却媒体加熱機は、加熱用ヒートポンプであることが望ましい。
【手続補正６】
【補正対象書類名】明細書
【補正対象項目名】００１５
【補正方法】変更
【補正の内容】
【００１５】
更に、上記目的に加えて、自動的に効率の良好な運転がなされる電着塗装装置を提供する目的を達成するため、上記発明にあって、前記冷却側加熱媒体及び／又は前記冷却媒体の前記冷却媒体加熱機への流量を調節する第１流量調節手段と、前記第２冷却媒体が前記ヒートポンプへ戻る際の温度である冷水戻り温度を検知する温度センサと、前記チラーからの前記第３冷却媒体の流量を調節する第２流量調節手段と、前記温度センサと接続され、前記冷水戻り温度に応じて前記第１流量調節手段及び第２流量調節手段における流量を制御する自動制御装置とを更に備えることが望ましい。
【手続補正７】
【補正対象書類名】明細書
【補正対象項目名】００１６
【補正方法】変更
【補正の内容】
【００１６】
又更に、上記目的に加えて、加熱冷却性能を確保しながら全体としての効率をより一層向上する目的を達成するため、上記発明にあって、前記ヒートポンプが複数台設置されており、前記自動制御装置は、少なくとも一部の所定の前記ヒートポンプにおける、前記加熱媒体が前記ヒートポンプから供給される際の温度である温水供給温度を検知する温水供給温度センサ、前記加熱媒体が前記ヒートポンプへ戻る際の温度である温水戻り温度を検知する温水戻り温度センサ、及び前記第２冷却媒体が前記ヒートポンプから供給される際の温度である冷水供給温度を検知する冷水供給温度センサ、並びに前記加熱媒体の流量を検知する流量計と接続されており、前記温水供給温度センサから得た前記温水供給温度と前記温水戻り温度センサから得た前記温水戻り温度の差、及び前記流量計から得た前記流量から把握した現在の加熱能力と、前記冷水供給温度センサから得た前記冷水供給温度から把握した定格運転時の加熱能力とから、当該ヒートポンプにおける負荷率を把握して、当該負荷率が設定値以下である場合に、前記ヒートポンプの一部につき運転を停止する制御を行い、当該ヒートポンプの運転停止後、前記温水供給温度センサから得た前記温水供給温度が設定値以下である場合に、停止した前記ヒートポンプにつき運転を再開する制御を行うことが望ましい。
【手続補正８】
【補正対象書類名】明細書
【補正対象項目名】００１７
【補正方法】変更
【補正の内容】
【００１７】
加えて、上記目的に加えて、ヒートポンプをより効率の良い運転に切り替え可能として、全体としての効率をも一層向上する目的を達成するため、上記発明にあって、前記第１冷却媒体が前記電着槽側へ戻る際の温度である電着液戻り温度を検知する、前記自動制御装置と接続された電着液戻り温度センサを更に備え、前記自動制御装置は、前記第２流量調節手段における流量が設定値以下であり、且つ電着液戻り温度センサから得た電着液戻り温度が設定値以下である場合に、前記ヒートポンプの第２冷却媒体に係る冷却後の温度を上昇することが望ましい。
【手続補正９】
【補正対象書類名】明細書
【補正対象項目名】００１８
【補正方法】変更
【補正の内容】
【００１８】
又、上記目的に加えて、ヒートポンプを状況に応じて効率の良好な運転モードに切り替え可能として、全体としての効率をも一層向上する目的を達成するため、上記発明にあって、前記前処理液を加熱する第２加熱媒体を供給可能な加熱機を更に備え、前記ヒートポンプは、前記加熱媒体を冷却可能な冷却機と接続されており、前記自動制御装置は、前記冷水戻り温度センサから得た前記冷水戻り温度が所定値以上であり且つ／又は前記第２流量調節手段における流量が設定値以上である場合に、前記加熱媒体を前記冷却機に供給して冷却された前記加熱媒体を受けると共に、前記加熱機により前記第２加熱媒体を供給して前記加熱媒体に代わり前記前処理液の加熱を行うことが望ましい。
【手続補正１０】
【補正対象書類名】明細書
【補正対象項目名】００１９
【補正方法】変更
【補正の内容】
【００１９】
更に、上記目的に加えて、ヒートポンプを消費電力に応じて効率の良い運転に切り替え可能として、装置全体の消費電力が契約電力等を上回らないようにする目的を達成するため、上記発明にあって、前記前処理液を加熱する第２加熱媒体を供給可能な加熱機と、消費電力を検知する消費電力計とを更に備え、前記ヒートポンプは、前記加熱媒体を冷却可能な冷却機と接続されており、前記自動制御装置は、前記消費電力計と接続されており、前記消費電力計から得た消費電力が設定値以上である場合に、前記加熱媒体を前記冷却機に供給して冷却された前記加熱媒体を受けると共に、前記加熱機により前記第２加熱媒体を供給して前記加熱媒体に代わり前記前処理液の加熱を行うことが望ましい。
【手続補正１１】
【補正対象書類名】明細書
【補正対象項目名】００２０
【補正方法】変更
【補正の内容】
【００２０】
又更に、上記目的に加えて、ヒートポンプからの加熱媒体による加熱が不足しても加熱手段によりこれを補充可能とすることで全体としての加熱不足が防止されるようにする目的を達成するため、上記発明にあって、前記ヒートポンプからの前記加熱媒体を貯蔵する温水タンクと、当該温水タンク内の前記加熱媒体を加熱する加熱手段とを備え、前記温水タンクからの前記加熱媒体により前記前処理液を加熱する第２加熱媒体が加熱されることが望ましい。
【手続補正１２】
【補正対象書類名】明細書
【補正対象項目名】００２１
【補正方法】変更
【補正の内容】
【００２１】
加えて、上記目的に加えて、ヒートポンプの他に自動制御装置を設けることなく、排温水等を用いた極めて効率の良好な前処理液の加熱ないし電着液の冷却を、低コスト・低設備投資にて導入する目的を達成するため、上記発明にあって、前記ヒートポンプを複数備えていると共に、前記電着液を冷却する第４冷却媒体を供給可能な第２冷却機を備えており、更に一部の前記ヒートポンプの供給する前記冷却媒体につき、前記冷却側加熱媒体との熱交換機側と前記電着液の冷却側とで切り替え可能とし、前記前処理液の加熱負荷が比較的に軽い一方前記電着液の冷却負荷が比較的に重い場合に、前記一部のヒートポンプの前記冷却媒体で前記電着液を冷却する一方、残余の前記ヒートポンプの冷却媒体に前記冷却側加熱媒体を適用して、全ての前記ヒートポンプで前記前処理液を加熱し、前処理液の加熱前記負荷が比較的に重い一方前記電着液の冷却負荷が比較的に軽い場合に、前記一部のヒートポンプの前記冷却媒体にも前記冷却側加熱媒体を適用して、全ての前記ヒートポンプで前記前処理液を加熱し、前記第２冷却機の前記第４冷却媒体で電着液を冷却することが望ましい。